(57)【特許請求の範囲】
【請求項１】
基板に装着された基板側コネクタにフラットケーブルの先端部を挿脱自在に挿入して電気的に接続した遊技機において、前記フラットケーブルを前記基板側コネクタの近傍で折り返して該基板側コネクタに重ね、前記フラットケーブルの重なり部を前記基板側コネクタに対して押える押え具を備え、前記基板側コネクタは前記基板に沿って偏平に形成され且つ前記フラットケーブルの先端部を前記基板の板面方向に挿脱可能な偏平状であり、前記押え具は前記フラットケーブルの幅方向に配置され且つ該フラットケーブルを前記基板側コネクタに押える押え部と、前記基板側コネクタよりも前記幅方向の外側に配置され且つ前記基板に対して着脱自在な一対の取り付け手段と、前記押え部の両側で前記各取り付け手段から内側に離れて設けられ且つ前記基板側コネクタに当接して前記フラットケーブルを幅方向の両側から規制する規制部とを備えたことを特徴とする遊技機。
【請求項２】
前記押え具は前記基板側コネクタを覆う本体部を有することを特徴とする請求項１に記載の遊技機。
【請求項３】
前記各取り付け手段は前記基板に係脱自在に係合する係合爪を有することを特徴とする請求項１又は２に記載の遊技機。
【請求項４】
前記押え具は前記基板側コネクタに対して前記フラットケーブルの長手方向の両側において前記基板に当接する脚部を備えたことを特徴とする請求項１〜３の何れかに記載の遊技機。
【請求項５】
前記長手方向の両側の前記脚部間に前記基板側コネクタに当接する当接部を備え、前記幅方向に対向する前記脚部及び前記当接部の対向面により前記規制部を構成したことを特徴とする請求項４に記載の遊技機。
【発明の詳細な説明】
【技術分野】
【０００１】
本発明は、パチンコ機、スロットマシン等の遊技機に関し、フラットケーブルの基板側コネクタからの抜けを防止するようにしたものである。
【背景技術】
【０００２】
パチンコ機、スロットマシン等の遊技機では、多種多様な電気的手段をケーブルを介して相互に電気的に接続するために多数のコネクタが使用されている。例えば、基板に雌型コネクタ等の基板側コネクタを、ケーブルの先端部に雄型コネクタ等のケーブル側コネクタを夫々装着しておき、そのケーブル側コネクタを基板側コネクタに挿脱自在に挿入して、ケーブルを介して電気的手段を相互に電気的に接続している（特許文献１）。
【０００３】
基板側コネクタ、ケーブル側コネクタには両者間にロック手段を備えたロック式のものを使用し、またケーブル側コネクタを基板側コネクタに挿脱自在に挿入した後、ケーブルを基板側コネクタに沿って折り返し、基板側コネクタ及びケーブルの折り返し部分を覆うようにコネクタカバーを装着して不正行為等の防止を図るようにしている。
【先行技術文献】
【特許文献】
【０００４】
【特許文献１】特開２００８−２７２０１５号公報
【発明の概要】
【発明が解決しようとする課題】
【０００５】
従来は基板側コネクタ、ケーブル側コネクタにロック式のものを使用して、そのロックを解除しない限りケーブル側コネクタが基板側コネクタから外れないようにしているため、接触その他でケーブルに外力が加わってもケーブル側コネクタが基板側コネクタから不測に抜けるようなことはない。
【０００６】
しかし、ロック手段を備えたロック式のコネクタは一般的に大型であり、フラットケーブルを対象とする場合には、ロック手段のない非ロック式の基板側コネクタを使用して、フラットケーブルの先端部を基板側コネクタに挿入して電気的に接続しているため、フラットケーブルに外力が加われば、フラットケーブルが基板側コネクタから不測に抜ける惧れがある。
【０００７】
そこで、非ロック式の基板側コネクタを使用する場合の抜け防止対策として、ケーブルを基板側コネクタに沿って折り返した後、その基板側コネクタとケーブルの折り返し部分とを覆うようにコネクタカバーを装着して、このコネクタカバーによりケーブルの不測の抜けを防止することも考えられる。
【０００８】
この場合には次のような問題がある。即ち、基板側コネクタに対応するコネクタカバーを準備する必要があり、多種類の基板側コネクタがある場合にはコネクタカバーの種類数が増えて非常なコスト高となる欠点がある。また偏平状な基板側コネクタを基板に対して起立状に装着しておき、その基板側コネクタにフラットケーブルの先端部を挿入した後、フラットケーブルを折り返してコネクタカバーを装着する必要があり、その作業が非常に煩雑になる欠点がある。
【０００９】
本発明は、このような従来の問題点に鑑み、基板側コネクタからのフラットケーブルの抜けを防止しながらも、構造の簡素化、組み立て時の作業性の向上、製作コストの低減を図ることができる遊技機を提供することを目的とする。
【課題を解決するための手段】
【００１０】
本発明は、基板に装着された基板側コネクタにフラットケーブルの先端部を挿脱自在に挿入して電気的に接続した遊技機において、前記フラットケーブルを前記基板側コネクタの近傍で折り返して該基板側コネクタに重ね、前記フラットケーブルの重なり部を前記基板側コネクタに対して押える押え具を備え、前記基板側コネクタは前記基板に沿って偏平に形成され且つ前記フラットケーブルの先端部を前記基板の板面方向に挿脱可能な偏平状であり、前記押え具は前記フラットケーブルの幅方向に配置され且つ該フラットケーブルを前記基板側コネクタに押える押え部と、前記基板側コネクタよりも前記幅方向の外側に配置され且つ前記基板に対して着脱自在な一対の取り付け手段と、前記押え部の両側で前記各取り付け手段から内側に離れて設けられ且つ前記基板側コネクタに当接して前記フラットケーブルを幅方向の両側から規制する規制部とを備えたものである。
【００１１】
前記押え具は前記基板側コネクタを覆う本体部を有するものでもよい。前記各取り付け手段は前記基板に係脱自在に係合する係合爪を有するものでもよい。前記押え具は前記基板側コネクタに対して前記フラットケーブルの長手方向の両側において前記基板に当接する脚部を備えたものでもよい。前記長手方向の両側の前記脚部間に前記基板側コネクタに当接する当接部を備え、前記幅方向に対向する前記脚部及び前記当接部の対向面により前記規制部を構成してもよい。
【発明の効果】
【００１３】
本発明によれば、基板側コネクタからのフラットケーブルの抜けを防止しながらも、構造の簡素化、組み立て時の作業性の向上、製作コストの低減を図ることができる利点がある。
【図面の簡単な説明】
【００１４】
【図１】本発明の第１の実施形態を示すパチンコ機の全体正面図である。
【図２】同じくセンターケースの分解斜視図である。
【図３】同じく可動ユニットの分解斜視図である。
【図４】同じく可動ユニットの平面図である。
【図５】同じく中継基板側の一部破断正面図である。
【図６】同じく中継基板側の平面断面図である。
【図７】同じく中継基板側の側面断面図である。
【図８】同じく中継基板側の分解斜視図である。
【図９】同じく基板側コネクタとフラットケーブルとの分解斜視図である。
【図１０】本発明の第２の実施形態を示す中継基板側の分解斜視図である。
【図１１】本発明の第３の実施形態を示す中継基板側の側面断面図である。
【図１２】本発明の第４の実施形態を示す中継基板側の側面断面図である。
【図１３】同じく中継基板側の正面図である。
【図１４】本発明の第５の実施形態を示す中継基板側の一部破断斜視図である。
【図１５】同じく中継基板側の断面図である。
【図１６】本発明の第６の実施形態を示す中継基板側の正面断面図である。
【図１７】同じく中継基板側の一部破断平面図である。
【図１８】同じく押え具の斜視図である。
【図１９】本発明の第７の実施形態を示す中継基板側の正面図である。
【図２０】同じく押え具の一部破断斜視図である。
【図２１】本発明の第８の実施形態を示す中継基板側の斜視図である。
【図２２】同じく中継基板側の平面図である。
【発明を実施するための形態】
【００１５】
以下、本発明の実施形態を図面に基づいて詳述する。図１〜図９は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段（図示省略）に供給するための遊技球を貯留する貯留皿６、発射手段を作動させるための発射ハンドル７等が設けられている。
【００１６】
ガラス扉４の後側には、遊技盤１１が前枠３に対して例えば前側から着脱自在に装着されている。遊技盤１１の前面側には、発射手段から発射された遊技球を案内するガイドレール１２が環状に装着されると共に、そのガイドレール１２の内側の遊技領域１３にセンターケース１４、普通図柄始動手段１５、特別図柄始動手段１６、大入賞手段１７、普通入賞手段１８等の各種遊技部品が配置されている。
【００１７】
センターケース１４は、図１、図２に示すように、遊技盤１１の装着孔（図示省略）に対して前側から着脱自在に装着される前構造体２１と、液晶式その他の画像表示手段２２が装着され且つ前構造体２１に対応して遊技盤１１の裏側に着脱自在に装着される後構造体２３とを備えている。前構造体２１は、遊技盤１１の装着孔に沿って配置される装飾枠２４と、この装飾枠２４の下部側に沿って左右方向に配置され且つ入球口２５に入球した遊技球を自由に転動させて前側に落下させるステージ２６等を備えている。
【００１８】
後構造体２３は、前側が開放した略箱形に形成され且つその略中央に表示窓３１が形成された後ケース３２と、この後ケース３２の内側で且つ表示窓３１の上側に配置される可動ユニット３３とを備えており、前構造体２１の後側に対応するように遊技盤１１の裏側に装着されている。なお、後構造体２３は後ケース３２の前端側に一体に設けられた鍔状の固定部３４においてねじ止め等により遊技盤１１に固定されている。画像表示手段２２は、その表示画面２２ａを表示窓３１に一致させた状態で後ケース３２の背面側に着脱自在に固定されている。
【００１９】
可動ユニット３３は、図２〜図４に示すように、演出体４１と、この演出体４１を前後方向の軸回りに回転可能に支持する可動支持部４２と、この可動支持部４２を左右方向に移動可能に支持する支持本体部４３と、可動支持部４２等を介して演出体４１を左右方向に駆動する水平駆動手段４４と、可動支持部４２及び演出体４１の左右方向への移動に伴って演出体４１を前後方向の軸回りに回転駆動する回転駆動機構４５とを備えている。
【００２０】
支持本体部４３は、図３、図４に示すように、左右方向に水平に配置された前後一対のガイド軸４６と、これらガイド軸４６上に摺動自在に装着された移動台４７と、ガイド軸４６をその左右両端で支持する支持フレーム４８とを備え、この支持フレーム４８が、表示窓３１の上側で後ケース３２に着脱自在に固定されている。なお、この支持本体部４３は、その略全体が前構造体２１の装飾枠２４等によって前側から覆われており（図１参照）、遊技機本体１の正面からは見えないようになっている。
【００２１】
支持フレーム４８は略水平で且つ左右方向に長い略矩形状の上壁部４９と、この上壁部４９の前縁に沿って下向きに折り曲げられた前壁部５１と、上壁部４９の後縁に沿って上向きに折り曲げられた固定フランジ５３とを一体に備え、固定フランジ５３が後ケース３２に対してねじ止めされている。
【００２２】
移動台４７はガイド軸４６上に左右方向に摺動自在に設けられている。移動台４７はガイド軸４６に沿って配置されたラック５５を有し、このラック５５に水平駆動手段４４の駆動ギヤ５６が噛合されている。水平駆動手段４４はステッピングモータにより構成され、その駆動軸５４に駆動ギヤ５６が固定されている。移動台４７は水平駆動手段４４の駆動により、ガイド軸４６の一端側の原点位置（図１の点線位置）と、ガイド軸４６の他端側の演出位置（図１の二点鎖線位置）との間で往復移動可能である。
【００２３】
支持フレーム４８には、その前壁部５１上に左右方向の開口部５９が形成され、この開口部５９内を左右方向に移動自在な固定基部５７を介して移動台４７に可動支持部４２が固定されている。また支持フレーム４８の上壁部４９上には基板支持部６１が固定され、この基板支持部６１の前面に上壁部４９と略直角に中継基板６２が固定されている。なお、中継基板６２は略水平に配置してもよい。
【００２４】
演出体４１は例えば略楕円形に形成され、その内部に発光基板６３に装着されたＬＥＤ等の多数の発光体６４が設けられている。この演出体４１は可動支持部４２の下端部に前後方向の軸を介して支持され、移動台４７の左右移動に連動して回転駆動機構４５により軸廻りに往復回転するようになっている。可動支持部４２は移動台４７に固定された支持ベース部６５と、支持ベース部６５から下方に垂下するアーム部６７とを備えている。
【００２５】
回転駆動機構４５は支持フレーム４８の前側に左右方向に形成されたカム部６８と、可動支持部４２に上下動自在に設けられ且つ移動台４７の左右移動に連動してカム部６８に追従して上下動するカムローラ６９とを有し、カムローラ６９の上下動に連動して演出体４１を回転させるようになっている。なお、演出体４１は例えば右側の原点位置に退避したときに略縦長状となり、演出位置のときに略横長状となる。
【００２６】
演出体４１内の発光基板６３と支持フレーム４８上の中継基板６２は電気的手段を構成し、この両者は扁平な帯状のフラットケーブル７１を介して電気的に接続されている。即ち、フラットケーブル７１は弾性を有し、両端が中継基板６２、発光基板６３に夫々接続され、中間が可動支持部４２の上端部に固定されている。フラットケーブル７１は中継基板６２と可動支持部４２の上端部間では移動台４７が左右移動し得るだけの余裕で上壁部４９上に左右方向に配置され、また可動支持部４２の上端部と発光基板６３間では演出体４１が回転し得るだけの余裕で可動支持部４２内に上下方向に配置されている。
【００２７】
中継基板６２には、図３、図４に示すように、フラットケーブル７１用の非ロック式の偏平な基板側コネクタ７２を含む電子部品が装着されている。基板側コネクタ７２は中継基板６２の板面に沿って装着され、その挿入口７２ａが可動支持部４２と反対側に向いている。フラットケーブル７１は基板側コネクタ７２の近傍の折り返し部７１ａで基板側コネクタ７２側へと折り返されており、基板側コネクタ７２上に重なる重なり部７１ｂが、中継基板６２に着脱自在に装着された押え具７３により基板側コネクタ７２上に押えられている。
【００２８】
フラットケーブル７１は図９に示すように、絶縁シート７４と、この絶縁シート７４上に長手方向に形成された幅方向に複数の導体７５と、導体７５を挟んで絶縁シート７４上に貼着された絶縁フィルム７６とを有する。このフラットケーブル７１の先端部７８は絶縁フィルム７６が除去されて導体７５が露出しており、フラットケーブル７１を基板側コネクタ７２に接続する際には、その先端部７８を中継基板６２の板面に沿って基板側コネクタ７２の挿入口７２ａに挿脱自在に挿入する。なお、フラットケーブル７１の先端部７８には絶縁シート７４を補強する補強シート７７が貼着されている。
【００２９】
押え具７３は、折り返されて基板側コネクタ７２上に重ねられたフラットケーブル７１を基板側コネクタ７２との間で押え付けて止めるためのものである。この押え具７３は図５〜図８に示すように、基板側コネクタ７２を覆う大きさを有する矩形状の本体部７９と、この本体部７９の上下両側に一体に設けられた一対の取り付け手段８０とを備え、本体部７９によりフラットケーブル７１及び基板側コネクタ７２を覆う状態で、一対の取り付け手段８０を介して中継基板６２に着脱自在に装着されている。
【００３０】
本体部７９はフラットケーブル７１を基板側コネクタ７２との間で押える押え部８１と、押え部８１の上下両側に設けられフラットケーブル７１を幅方向の両側から規制する上下一対の規制部８２と、フラットケーブル７１の上下両側で基板側コネクタ７２の左右両側（基板側コネクタ７２に対してフラットケーブル７１の長手方向の両側）に配置され中継基板６２に当接する上下、左右に４個の脚部８３と、上下両側の各脚部８３間に配置され基板側コネクタ７２に当接する当接部８４とを備えている。
【００３１】
上下両側の各脚部８３と当接部８４とのフラットケーブル７１側の端面は略面一状になっており、このフラットケーブル７１の幅方向に対向する対向面により規制部８２が形成されている。なお、押え部８１のフラットケーブル７１の長手方向の両側の隅部は、フラットケーブル７１を損傷しないように曲面状に面取りされている。
【００３２】
取り付け手段８０は本体部７９の上下両側に突出して中継基板６２側に略Ｌ字状に屈曲する係合爪８７を有し、この係合爪８７の係合部８７ａが中継基板６２の係合孔８６の被係合部８６ａに係脱自在に係合するようになっている。なお、係合爪８７は係脱方向に弾性変形可能である。係合孔８６は基板側コネクタ７２のフラットケーブル７１の幅方向の両側に設けられ、その基板側コネクタ７２と反対側の縁部分が被係合部８６ａとなっている。
【００３３】
このようなパチンコ機では、演出体４１は通常原点位置に退避しており、所定の遊技状態になれば、所定の動作パターンに従って演出位置まで移動し再度原点位置へと戻る可動演出を行い、その可動演出中に発光体６４により演出体４１を発光させる。
【００３４】
例えば水平駆動手段４４が正転方向に作動すると、移動台４７がガイド軸４６に沿って移動し、移動台４７の可動支持部４２により支持された演出体４１が画像表示手段２２側の演出位置へと移動する。一方、移動台４７の移動に連動して回転駆動機構４５により演出体４１が前後方向の軸廻りに回転して、原点位置での縦長状態から演出位置での横長状態へと変化する。水平駆動手段４４が逆転方向に作動すると、逆に作動して演出体４１が原点位置へと戻る。
【００３５】
演出体４１内の発光体６４の発光制御は、演出制御手段により中継基板６２、フラットケーブル７１を介して行う。このときフラットケーブル７１はその一端側が押え具７３と基板側コネクタ７２とにより、中間側が移動台４７の上端部により夫々保持され、その両者間で支持フレーム４８の上壁部４９に沿って左右方向に配置されているため、移動台４７の移動に伴って弾性変形しながら信号を伝達する。
【００３６】
フラットケーブル７１を中継基板６２の基板側コネクタ７２に接続するに当たっては、中継基板６２に非ロック式の基板側コネクタ７２を装着し、この基板側コネクタ７２にフラットケーブル７１の先端部７８を挿入しているが、フラットケーブル７１を基板側コネクタ７２上に折り返して、その重なり部７１ｂを押え具７３により基板側コネクタ７２に対して押え付けているので、フラットケーブル７１に抜け方向の外力が加わるようなことがあっても、フラットケーブル７１の先端部７８が基板側コネクタ７２から抜けるようなことはない。
【００３７】
組み立て時にはフラットケーブル７１の先端部７８を基板側コネクタ７２の挿入口７２ａに挿入し、折り返しに必要な所定の余裕を置いてフラットケーブル７１を基板側コネクタ７２側へと折り返して基板側コネクタ７２上に重ねた後、フラットケーブル７１上から基板側コネクタ７２を覆うように押え具７３を中継基板６２に取り付ければ、押え部８１によりフラットケーブル７１の重なり部７１ｂを基板側コネクタ７２上に押え付けことができる。
【００３８】
このとき押え具７３は一対の係合爪８７を弾性に抗して中継基板６２の一対の係合孔８６に挿入して、各係合爪８７の係合部８７ａを各係合孔８６の被係合部８６ａに係合させればよい。なお、押え具７３を外すときには係合爪８７を中継基板６２から離脱させればよい。
【００３９】
従って、中継基板６２、基板側コネクタ７２、押え具７３を含む全体的な構造を簡素化できる上に、組み立て時の作業が容易であって作業性が向上する等、容易且つ安価に実施できる利点がある。しかも押え具７３は中継基板６２に取り付けており、基板側コネクタ７２の寸法が係合爪８７の間隔以下である限り、押え具７３を複数種類の基板側コネクタ７２に対して共通に使用できるので、構造の簡素化と相俟って製作コストを低減できる利点もある。
【００４０】
また基板側コネクタ７２はフラットケーブル７１の先端部７８を中継基板６２に沿った方向に挿脱可能な偏平状であり、この基板側コネクタ７２上にフラットケーブル７１を重ねてその重なり部７１ｂを押え具７３により押えるので、折り返したフラットケーブル７１を押え具７３で押え付けて止めるにも拘わらず、全体の構造をコンパクトにまとめることができる。
【００４１】
また中継基板６２には基板側コネクタ７２に対するフラットケーブル７１の幅方向の両側に被係合部８６ａを有する係合孔８６があり、押え具７３にはフラットケーブル７１の幅方向の両側に、その被係合部８６ａに係脱自在に係合する係合部８７ａがあるので、押え具７３の中継基板６２に対する取り付けが容易であると共に、フラットケーブル７１の幅方向の片側で押え具７３を中継基板６２に固定する場合に比較して、押え具７３を中継基板６２に対して安定よく固定でき、押え具７３によりフラットケーブル７１を確実に保持できる。
【００４２】
押え具７３にはフラットケーブル７１の幅方向の両側で且つ基板側コネクタ７２のフラットケーブル７１の長手方向の両側で中継基板６２に当接する脚部８３があるため、基板側コネクタ７２に対して押え具７３の寸法が多少大きい場合にも、押え具７３の取り付け状態を安定させることができる。またフラットケーブル７１の幅方向の両側にある各脚部８３間に、基板側コネクタ７２に当接する当接部８４があるので、挿入孔７２ａの端部側又は挿入孔７２ａから離れた箇所で基板側コネクタ７２を当接部８４により押えることができ、押え部８１でフラットケーブル７１を押えたときの荷重が基板側コネクタ７２の挿入口７２ａに対応する部分に加わるのを防止できる。
【００４３】
押え具７３はフラットケーブル７１を基板側コネクタ７２との間で押える押え部８１の他に、この押え部８１の両側に、フラットケーブル７１を幅方向の両側から規制する規制部８２を備えているので、フラットケーブル７１の幅方向のズレを容易に防止できる。
【００４４】
図１０は本発明の第２の実施形態を例示する。中継基板６２の幅が狭い場合には、図１０（Ａ）又は（Ｂ）に示すようにすればよい。図１０（Ａ）では中継基板６２の両側縁に、押え具７３の一対の係合爪８７に対応する係合凹部８８が設けられ、その係合凹部８８の内側の被係合部８８ａに係合爪８７の内側の係合部８７ａが係脱自在に係合するようになっている。
【００４５】
図１０（Ｂ）では中継基板６２の両側縁が押え具７３の一対の係合爪８７に対応する被係合部８６ａとなっており、その被係合部８６ａに係合爪８７の係合部８７ａが係脱自在に係合されている。そして、押え具７３の各脚部８３、又は一部の脚部８３には位置決め突起８９が設けられ、中継基板６２にはその位置決め突起８９が嵌合する位置決め孔９０が形成されている。
【００４６】
このように中継基板６２の幅が狭い場合には、押え具７３の一対の係合爪８７を中継基板６２に対して幅方向の両側から係合させることにより、基板側コネクタ７２上に折り重ねられたフラットケーブル７１を押え具７３で押えて止めることができる。他の構成は第１の実施形態と同様である。
【００４７】
図１１は本発明の第３の実施形態を例示する。取り付け手段８０は係合式が望ましいが、その場合に図１１に示すように一対の取り付け手段８０に別構造のものを採用してもよい。この実施形態では、一対の取り付け手段８０の一方が係合脚９１となり、他方が係合爪８７となっている。係合脚９１は中継基板６２の係合孔８６に挿脱自在に挿入され、その係合部９１ａが係合孔８６の被係合部８６ａに係合している。なお、係合脚９１は弾性変形可能でもよいし、弾性変形不能でもよい。係合爪８７等を含む他の構成は第１の実施形態と同様である。
【００４８】
この場合には、押え具７３の一端側の係合脚９１を係合孔８６に挿入して中継基板６２に係合させた後、その係合脚９１側を支点として押え具７３の他端側の係合爪８７を係合孔８６に挿入して中継基板６２に係合させることにより、押え具７３を中継基板６２に取り付ける。従って、押え具７３を中継基板６２に対して係脱自在に係合させるに当たっても、その取り付け手段８０の全てに弾性変形可能な係合爪８７を用いずに、一部を剛構造にすることも可能である。
【００４９】
図１２及び図１３は本発明の第４の実施形態を例示する。この実施形態では、圧入式の取り付け手段８０が採用されている。各取り付け手段８０は圧入突起９２を有し、その圧入突起９２が中継基板６２の圧入孔９３に圧入されている。圧入突起９２は周方向に複数の分割部９４を有し、その分割部９４を中心側に窄めながら圧入孔９３に圧入する。圧入突起９２は係合部９４ａを有し、圧入孔９３に圧入したときにその係合部９４ａが中継基板６２の圧入孔９３の内周の被係合部９３ａに係合するようになっている。他の構成は第１の実施形態と同様である。
【００５０】
このように押え具７３に圧入式の取り付け手段８０を備えておき、その圧入突起９２を中継基板６２の圧入孔９３に圧入することにより、押え具７３を中継基板６２に取り付けてもよい。なお、圧入突起９２の各分割部９４をその弾性に抗して窄めることにより、係合部９４ａが被係合部９３ａから離脱するので、押え具７３を中継基板６２から取り外すことができる。
【００５１】
図１４及び図１５は本発明の第５の実施形態を例示する。この実施形態では、押え具７３は棒状の押え部８１を備え、この押え部８１の両側に、基板側コネクタ７２に当接する鍔状の当接部８４が設けられている。取り付け手段８０は圧入式であり、略Ｌ字状に屈曲する圧入突起９２が当接部８４を介して押え部８１の外側に設けられている。圧入突起９２は周方向に二つ割り又は三つ割状であって、第４の実施形態の場合と同様に中継基板６２の圧入孔９３に圧入したときに、その係合部９４ａが圧入孔９３の被係合部９３ａに係合するようになっている。
【００５２】
このように押え部８１を棒状に構成しても、その押え部８１により基板側コネクタ７２上のフラットケーブル７１を押えて止めることができる。従って、押え具７３の押え部８１は基板側コネクタ７２との間でフラットケーブル７１を押え付けることができるものであれば、その形状、構造等は別段問題ではない。
【００５３】
図１６〜図１８は本発明の第６の実施形態を例示する。この実施形態では、中継基板６２、基板側コネクタ７２が略水平に配置されている。押え具７３は、本体部７９の一端側に取り付け手段８０を備え、この取り付け手段８０により中継基板６２に片持ち状に取り付けられている。即ち、本体部７９は一端側に支持部９５を有し、その支持部９５に当接脚９６と、この当接脚９６よりも本体部７９側に配置された係合爪８７とが設けられている。
【００５４】
当接脚９６は中継基板６２に当接し、その係合孔８６の縁に係合している。係合爪８７は当接脚９６を挟んでフラットケーブル７１の長手方向の両側に一対あり、その係合部８７ａが当接脚９６と反対側で係合孔８６の被係合部８６ａに係脱自在に係合している。本体部７９には基板側コネクタ７２に当接する当接部８４が押え部８１の両側に設けられている。
【００５５】
この場合には、係合爪８７の係合部８７ａを中継基板６２の係合孔８６に挿入して中継基板６２に係合し、当接脚９６を中継基板６２に当接させれば、当接部８４が基板側コネクタ７２に当接した状態で押え具７３を中継基板６２に固定することができる。また中継基板６２の反対側から係合爪８７を離脱方向に操作すれば、押え具７３を中継基板６２から取り外すことができる。従って、押え具７３はその本体部７９の一端側に係合爪８７等を設けて中継基板６２に着脱自在に取り付けてもよい。
【００５６】
図１９及び図２０は本発明の第７の実施形態を例示する。この実施形態では、中継基板６２、基板側コネクタ７２が略水平に配置され、フラットケーブル７１が上下方向に配置されている。このように中継基板６２とフラットケーブル７１との方向が異なる場合には、折り返し部７１ａで折り返したフラットケーブル７１の重なり部７１ｂを押え具７３により基板側コネクタ７２上に押え付ける一方、押え具７３に対して折り返し部７１ａと反対側の湾曲部７１ｃでフラットケーブル７１を屈曲させて、そのフラットケーブル７１を上下方向に伸ばしている。なお、押え具７３の押え部８１には、フラットケーブル７１の湾曲部７１ｃに合わせて湾曲する湾曲部８１ａを設けてもよい。
【００５７】
このようにフラットケーブル７１を押え具７３により基板側コネクタ７２上に押えることにより、フラットケーブル７１を任意の方向に配置することもできる。
【００５８】
図２１及び図２２は本発明の第８の実施形態を例示する。この押え具７３は押え部８１のフラットケーブル７１の長手方向の一端側の端縁８１ｂが基板側コネクタ７２と略平行であるのに対して、他端側の端縁８１ｃが一端側の端縁８１ｂに対して斜め方向に傾斜して形成されている。他の構成は各実施形態と同様である。
【００５９】
このような押え具７３を使用すれば、押え具７３の他端側の端縁８１ｃでフラットケーブル７１自体に捩じり方向に多少の余裕を持たせることによってフラットケーブル７１を捻ることができるので、基板側コネクタ７２に対するフラットケーブル７１の挿入方向に対して、フラットケーブル７１の幅方向を中継基板６２の板面方向に傾斜させて配置する必要がある場合には便利である。従って、押え具７３は一端側の端縁８１ｂと他端側の端縁８１ｃとが平行である必要はなく、両端縁８１ｂ，８１ｃの相対的関係は、基板側コネクタ７２に対するフラットケーブル７１の方向等に応じて適宜変更することが可能である。
【００６０】
以上、本発明の各実施形態について詳述したが、本発明はこれらの実施形態に限定されるものではなく、本発明の趣旨を逸脱しない範囲で種々の変更が可能である。例えば、実施形態ではケーブルがフラットケーブル７１の場合を例示しているが、先端部７８を非ロック式等の基板側コネクタ７２に挿入して挿脱自在に接続するケーブルであれば、フラットケーブル７１以外のケーブルでも同様に実施可能である。また基板として中継基板６２を例示しているが、電気的手段に装着された基板等であってもよい。中継基板６２等の基板は、左右方向、上下方向、前後方向の何れの方向に配置してもよい。
【００６１】
また押え具７３は基板側コネクタ７２との間でケーブルを押える押え部８１を備えたものであればよく、またその押え部８１はケーブルを損傷しない形状、構造であればよい。押え具７３の取り付け手段８０は係合爪８７等による係合構造で着脱するものが組立て時の作業性を考慮すれば便利であるが、押え具７３を中継基板６２等の基板に着脱できるものであれば十分である。
【００６２】
押え具７３の当接部８４、当接脚９６の内、その一方（当接部８４又は当接脚９６）を省略してもよいし、両方を省略してもよい。更に実施形態ではパチンコ機について例示したが、アレンジボール機、雀球遊技機等の他の弾球遊技機はもちろん、スロットマシン等の弾球遊技機以外の各種遊技機でも同様に実施可能であることはいうまでもない。
【符号の説明】
【００６３】
１  遊技機本体
６２  中継基板
６３  発光基板
７１  フラットケーブル
７１ａ  折り返し部
７１ｂ  重なり部
７２  基板側コネクタ
７３  押え具
７９  本体部
８０  取り付け手段
８１  押え部
８２  規制部
８３  脚部
８４  当接部
８６  係合孔
８６ａ  被係合部
８７  係合爪
８７ａ  係合部
【図１】
0005135408.tif 000002
【図２】
0005135408.tif 000003
【図３】
0005135408.tif 000004
【図４】
0005135408.tif 000005
【図５】
0005135408.tif 000006
【図６】
0005135408.tif 000007
【図７】
0005135408.tif 000008
【図８】
0005135408.tif 000009
【図９】
0005135408.tif 000010
【図１０】
0005135408.tif 000011
【図１１】
0005135408.tif 000012
【図１２】
0005135408.tif 000013
【図１３】
0005135408.tif 000014
【図１４】
0005135408.tif 000015
【図１５】
0005135408.tif 000016
【図１６】
0005135408.tif 000017
【図１７】
0005135408.tif 000018
【図１８】
0005135408.tif 000019
【図１９】
0005135408.tif 000020
【図２０】
0005135408.tif 000021
【図２１】
0005135408.tif 000022
【図２２】
0005135408.tif 000023